(57)【要約】  【課題】本発明は，電気機器への制御に連動して，人の手を煩わすことなく，効率よく待機電力を削減することができる電源制御システムを提供することを目的とする。  【解決手段】上記の課題は，電気機器（５０Ａ，５０Ｂ）と，電気機器（５０Ａ，５０Ｂ）に電力を供給する電源供給器具（１０）と，  電気機器（５０Ａ，５０Ｂ）及び前記電源供給器具（１０）に制御信号を送信する制御部（２１）とを備えた電源制御システムであって，電源供給器具（１０）は，制御信号に基づいて，電気機器（５０Ａ，５０Ｂ）への電力供給を停止する電源制御システムにより解決される。【選択図】図１
2010213367.tif 000002
【特許請求の範囲】
【請求項１】
電気機器（５０Ａ，５０Ｂ）と，
前記電気機器（５０Ａ，５０Ｂ）に電力を供給する電源供給器具（１０）と，
前記電気機器（５０Ａ，５０Ｂ）及び前記電源供給器具（１０）に制御信号を送信する制御部（２１）とを備えた電源制御システムであって，
前記電源供給器具（１０）は，前記制御信号に基づいて，前記電気機器（５０Ａ，５０Ｂ）への電力供給を停止することを特徴とする電源制御システム。
【請求項２】
前記制御部（２１）は，少なくとも前記電気機器（５０Ａ，５０Ｂ）の電源をオン又はオフにする信号を前記制御信号として，前記電気機器（５０Ａ，５０Ｂ）及び前記電源供給器具（１０）に送信し，
前記電源供給器具（１０）は，前記制御信号が前記電気機器（５０Ａ，５０Ｂ）の電源をオフにする信号である場合に，前記電気機器（５０Ａ，５０Ｂ）への電力供給を停止する請求項１に記載の電源制御システム。
【請求項３】
前記電源供給器具（１０）は，前記電気機器（５０Ａ，５０Ｂ）に供給した電力を計測する請求項１又は請求項２に記載の電源制御システム。
【請求項４】
複数の前記電気機器（５０Ａ，５０Ｂ）を備え，
前記電源供給器具（１０）は，前記電気機器（５０Ａ，５０Ｂ）毎に，前記電器機器（５０Ａ，５０Ｂ）に供給した電力をそれぞれ計測する請求項１又は請求項２に記載の電源制御システム。
【請求項５】
前記制御部（２１）からの指令を受け，前記指令に基づいた情報を出力するための出力部（２３）を備え，
前記制御部（２１）は，前記電源供給器具（５０Ａ，５０Ｂ）により計測された前記電力情報を取得し，取得した前記電力情報に基づいた指令を前記出力部（２３）へ出力する請求項１〜４のいずれかに記載の電源制御システム。
【請求項６】
前記電気機器（５０Ａ，５０Ｂ）が配置された部屋，家屋又は建物の屋内に設置され，前記屋内の状態に関する屋内情報を検出する環境センサを備え，
前記制御部（２１）は，前記環境センサにより検出された前記屋内情報と，前記電源供給器具（１０）により計測された前記電力情報とに基づいた指令を前記出力部（２３）へ出力する請求項1〜５のいずれかに記載の電源制御システム。
【請求項７】
前記制御部（２１）と情報の授受を行うことができる記憶部（２２）を備え，
前記記憶部（２２）には，前記電力情報と前記屋内情報とが互いに対応して記憶され，
前記制御部（２１）は，前記記憶部（２２）に記憶された前記電力情報及び前記屋内情報に基づいた指令を前記出力部（２３）に出力する請求項６に記載の電源制御システム。
【請求項８】
前記制御部（２１）と情報の授受を行うことができる記憶部（２２）を備え，
前記記憶部（２２）には，前記制御部が送信した前記制御信号が記憶されており，
制御部（２１）は，前記記憶部（２２）に記憶された制御信号を用いて，前記電気機器（５０Ａ，５０Ｂ）への電力供給を停止する請求項１〜５のいずれかに記載の電源制御システム。
【請求項９】
前記電気機器（５０Ａ，５０Ｂ）が配置された部屋，家屋又は建物の屋内に設置され，前記屋内の状態に関する屋内情報を検出する環境センサを備え，
制御部（２１）は，前記環境センサにより検出された前記屋内情報を取得し，前記屋内情報に基づいた制御信号を新たに生成し，前記屋内情報に基づいた制御信号を前記電気機器（５０Ａ，５０Ｂ）及び前記電源供給器具（１０）に送信し，
前記電源供給器具（１０）は，前記屋内情報に基づいた制御信号を用いて，前記電気機器（５０Ａ，５０Ｂ）への電力供給を停止する請求項１〜５のいずれかに記載の電源制御システム。
【請求項１０】
前記環境センサは，前記屋内の人の移動，前記屋内の温度又は前記屋内の照度のうち，少なくとも１つを検出する請求項６又は請求項７に記載の電源制御システム。
【請求項１１】
前記電源供給器具（１０）と前記制御部（２１）との間の信号又は情報の送受は，電力線を通信媒体に用いた電力線搬送方式を用いて，行われる請求項１〜１０のいずれかに記載の電源制御システム。
【請求項１２】
前記電気機器（５０Ａ，５０Ｂ）は，プラグを先端に設けた電源コードを有し，
前記電源供給器具（１０）は，コンセントを有し，前記プラグが前記コンセントに挿入されることにより，前記電源コードを介して，前記電気機器（５０Ａ，５０Ｂ）に電力を供給する請求項１〜１１のいずれかに記載の電源制御システム。
【請求項１３】
前記電源供給器具（１０）は，外部電源に接続されるテーブルタップ，コーナタップ又はトリプルタップのいずれかである請求項１〜１２のいずれかに記載の電源制御システム。
【請求項１４】
ビデオ機器（５０Ａ，５０Ｂ）と，
前記ビデオ機器（５０Ａ，５０Ｂ）に電力を供給する電源供給器具（１０）と，
前記ビデオ機器（５０Ａ，５０Ｂ）及び前記電源供給器具（１０）に録画予約に関する制御信号を送信する制御部（２１）と，
前記制御部（２１）と情報の授受を行うことができる記憶部（２２）を備えた電源制御システムであって，
前記記憶部（２２）には，前記制御部が送信した前記録画予約に関する制御信号が記憶されており，
制御部（２１）は，前記記憶部（２２）に記憶された前記録画予約に関する制御信号を用いて，前記電気機器（５０Ａ，５０Ｂ）への電力供給を停止する電源制御システム。
【請求項１５】
ネットワークに接続されて使用される請求項１〜１４のいずれかに記載の電源制御システム。
【発明の詳細な説明】
【技術分野】
【０００１】
本発明は，電気機器に電力を供給する電源供給器具を有する電源制御システムであって，例えば，ユビキタスセンサとインテリジェントテーブルタップによる省エネシステムに関する。
【背景技術】
【０００２】
近年，省エネルギーを目的として，家庭用電化製品（家電）等の電気機器における待機時消費電力（待機電力）の削減が望まれている。待機電力とは，電気機器がその本来の効用を発揮していないときに消費する電力のことをいい，例えばテレビ，ビデオデッキ，エアコン等がリモコンによる操作を待ち受けているときに消費する電力等がそれに該当する。家庭の消費エネルギーの約１割を待機電力が占めていることが知られている。
【０００３】
従来，電気機器の電源コードのプラグを人の手によってコンセントから抜くことで，待機電力を削減していた。また，電気機器への電力供給を制限するためのスイッチをテーブルタップに設け，このスイッチを人の手によって切り替えることで，待機電力を削減していた。
【０００４】
なお，特許文献１には，省エネルギーを目的として，電力等のエネルギーの消費量の実績値を計測し，これを目標値と比較した情報等をエネルギー消費者に提供するシステムが開示されている。
【先行技術文献】
【特許文献】
【０００５】
【特許文献１】特開２００８−７７３４５号公報
【発明の概要】
【発明が解決しようとする課題】
【０００６】
しかしながら，待機電力を削減するために，コンセントに対するプラグの抜き差しや，テーブルタップのスイッチの切り替えを行うのでは，人の手間がかかってしまい，効率がよくない。
【０００７】
そこで，本発明は，人の手を煩わすことなく，電気機器への制御に連動して，効率よく待機電力を削減することができる電源制御システムを提供することを目的とする。
【課題を解決するための手段】
【０００８】
本発明における電源制御システムは，電気機器５０Ａ，５０Ｂと，前記電気機器５０Ａ，５０Ｂに電力を供給する電源供給器具１０と，前記電気機器５０Ａ，５０Ｂ及び前記電源供給器具１０に制御信号を送信する制御部２１とを備えている。また，前記電源供給器具１０は，前記制御信号に基づいて，前記電気機器５０Ａ，５０Ｂへの電力供給を停止する。
【０００９】
この構成により，電源供給器具１０が，制御部２１から電気機器５０Ａ，５０Ｂへ送信される制御信号に連動して，電気機器５０Ａ，５０Ｂへの電力供給を停止する。これにより，人の手を煩わすことなく，効率よく待機電力を削減することができる。
【００１０】
本発明における電源制御システムにおいて，前記制御部２１は，少なくとも前記電気機器５０Ａ，５０Ｂの電源をオン又はオフにする信号を前記制御信号として，前記電気機器５０Ａ，５０Ｂ及び前記電源供給器具１０に送信する。また，前記電源供給器具１０は，前記制御信号が前記電気機器５０Ａ，５０Ｂの電源をオフにする信号である場合に，前記電気機器５０Ａ，５０Ｂへの電力供給を停止する。
【００１１】
この構成により，電源供給器具１０が，電気機器５０Ａ，５０Ｂの電源をオフする制御信号に連動して，電気機器５０Ａ，５０Ｂへの電力供給を停止する。これにより，人の手を煩わすことなく，電気機器への制御に連動して，効率よく待機電力を削減することができる。
【００１２】
本発明における電源制御システムにおいて，前記電源供給器具１０は，前記電気機器５０Ａ，５０Ｂに供給した電力を計測する。これにより，電気機器５０Ａ，５０Ｂの電力使用量を取得することができる。
【００１３】
本発明における電源制御システムは，複数の前記電気機器５０Ａ，５０Ｂを備えている。また，前記電源供給器具１０は，前記電気機器５０Ａ，５０Ｂ毎に，前記電器機器５０Ａ，５０Ｂに供給した電力をそれぞれ計測する。これにより，電気機器５０Ａ，５０Ｂ毎に電力使用量を取得することができる。
【００１４】
本発明における電源制御システムは，前記制御部２１からの指令を受け，前記指令に基づいた情報を出力するための出力部２３を備えている。また，前記制御部２１は，前記電源供給器具１０により計測された前記電力情報を取得し，取得した前記電力情報に基づいた指令を前記出力部２３へ出力する。これにより，電気機器５０Ａ，５０Ｂの電力使用量が出力部２３に出力される。この結果，エネルギー消費者が，出力部２３の出力を確認することで，電気機器５０Ａ，５０Ｂの電力使用量を確認することができる。
【００１５】
本発明における電源制御システムは，前記電気機器５０Ａ，５０Ｂが配置された部屋，家屋又は建物の屋内に設置され，前記屋内の状態に関する屋内情報を検出する環境センサを備えている。また，前記制御部２１は，前記環境センサにより検出された前記屋内情報と，前記電源供給器具１０により計測された前記電力情報とに基づいた指令を前記出力部２３へ出力する。これにより，電力情報が屋内情報と共に出力部２３に出力される。この結果，エネルギー消費者が，出力部２３の出力を確認することで，電気機器５０Ａ，５０Ｂの電力情報を屋内情報と合わせて得ることができる。
【００１６】
本発明における電源制御システムは，前記制御部２１と情報の授受を行うことができる記憶部２２を備えている。また，前記記憶部２２には，前記電力情報と前記屋内情報とが互いに対応して記憶されている。前記制御部２１は，前記記憶部２２に記憶された前記電力情報及び前記屋内情報に基づいた指令を前記出力部２３に出力する。これにより，例えば，数時間前，数日前等，過去の電力情報が屋内情報と共に出力部２３に出力される。この結果，エネルギー消費者が，出力部２３の出力を確認することで，電気機器５０Ａ，５０Ｂの過去の電力情報を屋内情報と合わせて得ることができる。
【００１７】
本発明における電源制御システムは，前記制御部２１と情報の授受を行うことができる記憶部２２を備えている。また，前記記憶部２２には，前記制御部２１が送信した前記制御信号が記憶されており，制御部２１は，前記記憶部２２に記憶された制御信号を用いて，前記電気機器５０Ａ，５０Ｂへの電力供給を停止する。このように，制御部２１は，前記記憶部２２に記憶された制御信号を用いることで，過去に電源機器に対して送信した制御信号を取得し，これに基づいた制御を電源供給機器に対して行うことが行える。
【００１８】
本発明における電源制御システムは，前記電気機器５０Ａ，５０Ｂが配置された部屋，家屋又は建物の屋内に設置され，前記屋内の状態に関する屋内情報を検出する環境センサを備え，制御部２１は，前記環境センサにより検出された前記屋内情報を取得し，前記屋内情報に基づいた制御信号を新たに生成し，前記屋内情報に基づいた制御信号を前記電気機器５０Ａ，５０Ｂ及び前記電源供給器具１０に送信し，前記電源供給器具１０は，前記屋内情報に基づいた制御信号を用いて，前記電気機器５０Ａ，５０Ｂへの電力供給を停止する。これにより，屋内に状態に応じた制御信号が生成され，屋内情報に合わせた制御を電気機器に対して行うことができる。この結果，人の行動等の屋内情報に対応して，電気機器への電力供給を簡単に停止することができる。
【００１９】
本発明における電源制御システムにおいて，好ましくは，前記環境センサは，前記屋内の人の移動，前記屋内の温度又は前記屋内の照度のうち，少なくとも１つを検出する。環境センサにより屋内の人の移動を検出し，これを屋内情報とすることで，屋内情報と電力情報とに基づいて，エネルギー消費者の行動に対応した電力情報を出力部２３に出力することができる。また，環境センサにより屋内の温度や照度を検出し，これを屋内情報とすることで，屋内情報と電力情報とに基づいて，電気機器５０Ａ，５０Ｂの設置環境を含めた電力情報を出力部２３に出力することができる。この結果，エネルギー消費者は，出力部２３の出力を確認することで，エネルギー消費者の行動に対応した電力情報や，電気機器の設置環境を含めた電力情報等，省エネのために有益な情報を取得することができる。
【００２０】
本発明における電源制御システムにおいて，前記電源供給器具１０と前記制御部２１との間の信号又は情報の送受は，電力線を通信媒体に用いた電力線搬送方式を用いて，行われる。既存の電力線を通信媒体に用いているので，新たに信号又は情報の送受信用の器具を設ける必要がなく，コストを低減できる。
【００２１】
本発明における電源制御システムにおいて，前記電気機器５０Ａ，５０Ｂは，プラグを先端に設けた電源コードを有している。また，前記電源供給器具１０は，コンセントを有している。そして，前記プラグが前記コンセントに挿入されることにより，前記電源供給器具１０が前記電源コードを介して，前記電気機器５０Ａ，５０Ｂに電力を供給する。これにより，電源供給器具１０と電気機器５０Ａ，５０Ｂとを容易に接続することができ，電力供給器具１０から電気機器５０Ａ，５０Ｂへ容易に電力を供給できる。なお，前記電源供給器具１０は，外部電源に接続されるテーブルタップ，コーナタップ又はトリプルタップのいずれかである。
【００２２】
本発明における電源制御システムは，ビデオ機器５０と，前記ビデオ機器５０に電力を供給する電源供給器具１０と，前記ビデオ機器５０及び前記電源供給器具１０に録画予約に関する制御信号を送信する制御部２１と，前記制御部２１と情報の授受を行うことができる記憶部２２を備えている。また，前記記憶部２２には，前記制御部２１が送信した前記録画予約に関する制御信号が記憶されており，制御部２１は，前記記憶部２２に記憶された前記録画予約に関する制御信号を用いて，前記ビデオ５０への電力供給を停止する。これにより，記憶部２２には，ビデオ機器５０の録画予約命令等の制御信号が記憶される。従って，人の操作による制御信号の入力がなくても，記憶部２２に記憶されている制御信号を用いて，ビデオ機器５０の電力供給を制御することができる。例えば，毎週月曜の午後９時〜１０時に特定の番組を録画するという録画予約命令が，制御信号として，記憶部２２に記憶されているとする。そして，ユーザが録画予約した時間以外にビデオ機器５０の電源を入れて，電源を点けっぱなしにしたとする。このような場合においても，制御部２１が，記憶部２２に記憶された録画予約命令の御信号を用いて，前記ビデオ５０への電力供給を停止することができる。この結果，録画予約時間である月曜の午後９時〜１０時の間のみ通電し，必要最低限の電力使用によって，予約録画を行うことができる。
【００２３】
本発明における電源制御システムは，ネットワークに接続してもよい。これにより，各家屋や各建物での消費電力に関する情報等，様々な情報を複数のユーザによって共有することができる。この結果，社会全体の省エネ意識を高めることができる。
【発明の効果】
【００２４】
本発明は，電源供給器具が，電気機器への制御信号に基づいて，電気機器への電力供給を停止するので，電気機器への制御に連動して，人の手を煩わすことなく，効率よく待機電力を削減することができる。
【図面の簡単な説明】
【００２５】
【図１】図１は，本発明の電源制御システムの例を示す図である。
【図２】図２は，本発明の電源制御システムの適用例を概念的に示す図である。
【図３】図３は，本発明の電源制御システムの使用例を示す図である。
【図４】図４は，インテリジェントテーブルタップの例を示す構成図である。
【図５】図５は，赤外線学習リモコンの例と，その操作画面を示す図である。
【図６】図６は，出力部の表示例を示す図である。
【図７】図７は，出力部の表示例を示す図である。
【図８】図８は，出力部の表示例を示す図である。
【図９】図９は，出力部の表示例を示す図である。
【図１０】図１０は，出力部の表示例を示す図である。
【図１１】図１１は，省エネのための出力情報の処理手順の例を示すフロー図である。
【図１２】図１２は，省エネのための出力情報の処理手順の例を示すフロー図である。
【発明を実施するための形態】
【００２６】
以下，本発明の実施の形態について，図面に基づいて説明する。
【００２７】
図１は，本発明の電源制御システムの例を示す図である。
【００２８】
図１に示されるように，電源制御システム１００は，インテリジェントテーブルタップ１０と，サーバ２０と，屋内電力ライン３０と，赤外線学習リモコン４０と，電気機器５０Ａ，５０Ｂとを有する。インテリジェントテーブルタップ１０は，屋内電力ライン３０及び電気機器５０Ａ，５０Ｂに接続されている。また，サーバ２０には，屋内電力ライン３０及び赤外線学習リモコン４０に接続されている。屋内電力ライン３０には，例えば発電所から電力が供給されている。屋内電力ライン３０の電力は，これに接続されたサーバ２０やインテリジェントテーブルタップ１０に供給される。なお，本発明の電源供給器具はインテリジェントテーブルタップ１０であり，本発明のリモコン部は赤外線学習リモコン４０である。また，電気機器５０Ａ，５０Ｂを総称して，単に電気機器５０とする。
【００２９】
インテリジェントテーブルタップ１０は，電力制御部１１と，電流センサ１２と，スイッチ部１３とを備えている。電流センサ１２及びスイッチ部１３は，接続可能な電気機器５０の数によって異なる。インテリジェントテーブルタップ１０は，屋内電力ライン３０に供給される電力を電気機器５０に供給する。なお，電力制御部１１は，電流センサ１２及びスイッチ部１３を制御する。
【００３０】
電流センサ１２及びスイッチ部１３は電気的に接続されている。各電流センサ１２は，電気機器５０Ａ，５０Ｂにそれぞれ接続されている。電流センサ１２は，電気機器５０Ａ，５０Ｂに出力される電流を計測する。電力制御部１１は，電流センサ１２で計測された電流に基づいて，電気機器５０Ａ，５０Ｂに供給した電力を電気機器５０Ａ，５０Ｂ毎に計測する。
【００３１】
スイッチ部１３は，例えばリレー回路により構成されており，電力制御部１１により制御される。電力制御部１１は，後述の赤外線学習リモコン４０から送信される制御信号に基づいて，スイッチ部１３を切り換える。スイッチ部１３がオンに切り換えられると，屋内電力ライン３０に供給される電力が電気機器５０に供給される。一方，スイッチ部１３がオフに切り換えられると，屋内電力ライン３０の電力の供給が停止される。
【００３２】
サーバ２０は，制御部２１と，記憶部２２と，出力部２３とを備えている。サーバ２０は，屋内電力ライン３０及び赤外線学習リモコン４０に接続されている。サーバ２０には，屋内電力ライン３０から電力が供給される。制御部２１は，赤外線学習リモコン４０を介して，電気機器５０Ａ又は電気機器５０Ｂにそれぞれ別々に制御信号を送信する。また，制御部２１は，屋内電力ライン３０を介して，インテリジェントテーブルタップ１０へも制御信号を送信する。
【００３３】
制御部２１は，インテリジェントテーブルタップ１０の電力制御部１１により計測された電力情報を，屋内電力ライン３０を介して取得する。インテリジェントテーブルタップ１０とサーバ２０との間の信号又は情報の送受は，電力線を通信媒体に用いた電力線配送（ＰＬＣ：Power Line Communication）方式により実現されている。
【００３４】
制御信号には，少なくとも電気機器５０の電源をオン又はオフする信号が含まれる。電気機器５０の電源をオンする制御信号がインテリジェントテーブルタップ１０に入力されると，電力制御部１１がスイッチ部１３をオンにし，屋内電力ライン３０からの電力が電気機器５０に供給される。一方，電気機器５０の電源をオフにする制御信号がインテリジェントテーブルタップ１０に入力されると，電力制御部１１がスイッチ部１３をオフにし，屋内電力ライン３０から電気機器５０への電力供給が停止される。
【００３５】
記憶部２２は，制御部２１と情報の授受を行うことができる。記憶部２２には，電源供給器具１０により各電気機器５０Ａ，５０Ｂに供給された電力情報等の各種情報が記憶される。また，記憶部２２には，制御部２１から送信された制御信号が，記憶されている。制御部２１は，記憶部２２に記憶されている制御信号を用いて，インテリジェントテーブルタップ１０及び電気機器５０に，指令を出力することもできる。
【００３６】
出力部２３は，制御部２１からの指令を受け，この指令に基づいた情報を出力する。制御部２１は，記憶部２２に記憶されている上記電力情報等に基づいた指令を出力部２３へ出力する。なお，制御部２１は，記憶部２２に記憶された情報を用いずに，インテリジェントテーブルタップ１０から取得した電力情報を直接用いた指令を出力部２３へ出力してもよい。
【００３７】
屋内電力ライン３０は，部屋，家屋又は建物の屋内に配線された電力線である。屋内電力ライン３０は，発電所からの電力供給を中継する。すなわち，インテリジェントテーブルタップ１０，サーバ２０及び電気機器５０への電力供給は，全て屋内電力ライン３０を介して行われる。
【００３８】
赤外線学習リモコン４０は，赤外線通信機能を有する。赤外線学習リモコン４０は，サーバ２０に接続されている。赤外線学習リモコン４０は，制御部２１の制御によって，電気機器５０に対して，制御信号を赤外線により送信する。
【００３９】
電気機器５０Ａ，５０Ｂは，電源供給器具１０にそれぞれ接続されている。電気機器５０は，リモコン部４０から制御信号を受信し，制御信号に従って稼動する。
【００４０】
図２は，本発明の電源制御システム１００の適用例を概念的に示す図である。図２に示されるように，電源制御システム１００は，概念的には，モニタリングシステムと提示システムとから構成される。
【００４１】
モニタリングシステムでは，インテリジェントテーブルタップ１０に接続された各種電気機器５０の電力を，電流センサ１２を用いてそれぞれ計測し，計測された電力情報をサーバ２０の記憶部２２に記憶する。なお，図２のデータベースは，図１の記憶部２２に対応する。
【００４２】
また，電気機器５０が配置された部屋，家屋又は建物の屋内には，屋内の状態に関する屋内情報を検出するための各種センサが設けられている。これらのセンサを総称して，環境センサとする。環境センサで取得される各種情報は，無線通信によりサーバ２０に送信され，データベースとしての記憶部２２に記憶される。
【００４３】
温度センサは，屋内の温度を計測する。照度センサは，屋内の照度を計測する。人感センサは，屋内での人の移動を検出する。例えば，屋内に複数の人感センサを配置して，人の居場所の変化を検知することで，屋内での人の移動を検出する。開閉センサは，扉の開閉を検知することで，屋内への人の出入りを検出する。
【００４４】
提示システムでは，データベースとしての記憶部２２に記憶された各種情報を用いて，各電気機器５０の消費電力や，行動検出に基づいた省エネアドバイスや，省エネ効果等の情報提示が行われる。
【００４５】
次に，本発明の電源制御システム１００の使用例として，モニタリングシステムとして用いた場合について，図に基づいて説明する。図３は，本発明の電源制御システムの使用例を示す図である。
【００４６】
図３に示されるように，インテリジェントテーブルタップ１０が，屋内電力ライン３０に接続されている。図４は，インテリジェントテーブルタップ１０の例を示す構成図である。図４に示されるように，リモートＩＯボード１１１，複数の電流センサ１２，複数のスイッチ部１３及びＰＬＣアダプタ１４が，ケース内に設けられている。
【００４７】
リモートＩＯボード１１１上には，電力制御部１１が回路として形成されている。また，インテリジェントテーブルタップ１０の外面には，例えば２つの電源用の凹型接触端子からなるコンセント１５が複数設けられている。電流センサ１２及びスイッチ部１３は，コンセント１４の数に対応した数だけ設けられる。１つのコンセント１５に対して，電流センサ１２及びスイッチ部１３が少なくとも１つずつ必要となる。なお，こられの数は，各国のコンセント規格によって異なってくる。なお，図３では，便宜上，１つのコンセント１５の分しか，電流センサ１２及びスイッチ部１３を表示していない。
【００４８】
上述したように，電流センサ１２及びスイッチ部１３は，電力制御部１１により制御されるが，図３に示されるように，電力制御部１１から電流センサへ１２の制御は，リモートＩＯボード１１１の入力ポートを用いて行われ，  電力制御部１１からスイッチ部１３への制御は，リモートＩＯボード１１１の出力ポートを用いて行われる。ＰＬＣアダプタ１４は，サーバ２０とのＰＬＣ方式による通信に用いられる。
【００４９】
各スイッチ部１３及びＰＬＣアダプタ１４に接続された電源コード１６の先端には，プラグ１７が設けられている。このプラグ１７は，例えば２つの電源用の凸型接触端子から構成されている。このプラグ１７が屋内電力ライン３０に接続されることにより，屋内電力ライン３０からの電力がインテリジェントテーブルタップ１０に供給される。
【００５０】
図３に戻って，サーバ２０は，ＰＬＣアダプタ６０を介して，屋内電力ライン３０に接続される。これにより，サーバ２０は，屋内電力ライン３０から電力供給を受けられる。ＰＬＣアダプタ６０は，インテリジェントテーブルタップ１０とサーバ２０との間のＰＬＣ方式による通信に用いられる。サーバ２０とＰＬＣアダプタ６０との間は，イーサネット（登録商標）規格に従って接続されている。
【００５１】
また，サーバ２０には，赤外線学習リモコン４０がＵＳＢ（Universal Serial Bus）により接続されている。図５は，赤外線学習リモコン４０の例と，その操作画面を示す図である。図５（ａ）は，赤外線学習リモコン４０の外形を撮影した写真代用図である。図５（ａ）に示されるように，赤外線学習リモコン４０の前面（図５内の手前側）に，複数の赤外線ＬＥＤ（Light Emitting Diode）が配置されている。制御部２１による制御信号は，この赤外線ＬＥＤから，電気機器５０に向けて送信される。図５（ｂ）は，赤外線学習リモコン４０の操作画面を示す図である。図５（ｂ）では，エアコンを電気機器５０とした際の操作画面を示している。
【００５２】
電気機器５０は，２つの電源用の凸型接触端子からなるプラグ５１を先端に設けた電源コード５２を有している。プラグ５１は，コンセント１５に対応して形状等が決まる。プラグ５１は，インテリジェントテーブルタップ１０のコンセント１５に挿入される。これにより，電源コード５２を介して，屋内電力ライン３０からの電力が電気機器５０に供給される。
【００５３】
次に，図１〜図３に基づいて，本発明の電源制御システム１００をモニタリングシステムとして動作させた際の処理の流れを説明する。
まず，電気機器５０に対してブラウザからの操作がユーザにより行われると，サーバ２０の制御部２１は，操作内容に対応した制御信号を生成する。ブラウザからの操作は，例えば，サーバ２０のキーボード入力やサーバ３０とは別のモバイル端末からの信号入力等により行われる。次に，サーバ２０の制御部２１は，赤外線学習リモコン４０を介して，制御信号を電気機器５０へ送信する。電気機器５０は，制御信号を受信すると，受信した制御信号に応じた動作をする。
【００５４】
例えば，制御信号が電気機器５０の電源をオンにする信号である場合，電気機器５０は制御信号に従って電気機器５０の電源をオンにする。このとき，インテリジェントテーブルタップ１０にも，ＰＬＣアダプタ６０及び屋内電力ライン３０を介して，電気機器５０の電源をオンにする制御信号が入力される。そして，インテリジェントテーブルタップ１０の電力制御部１１は，制御信号に従って，スイッチ部１３をオンにする。これにより，屋内電力ライン３０からの電力が電気機器５０に供給され，電気機器５０が稼働状態となる。
【００５５】
一方，制御信号が電気機器５０の電源をオフにする信号である場合，電気機器５０は制御信号に従って電気機器５０の電源をオフにする。上記同様，インテリジェントテーブルタップ１０にも，ＰＬＣアダプタ６０及び屋内電力ライン３０を介して，電気機器５０の電源をオフにする制御信号が入力される。そして，インテリジェントテーブルタップ１０の電力制御部１１は，制御信号に従って，スイッチ部１３をオフにする。これにより，屋内電力ライン３０からの電力供給が停止され，電気機器５０が非稼働状態となる。
【００５６】
また，インテリジェントテーブルタップ１０の電力制御部１１は，電流センサ１２で計測される電流量に基づいて，電気機器５０へ供給した電力を計測する。なお，複数の電気機器５０がインテリジェントテーブルタップ１０に接続されている場合には，電力制御部１１は電気機器５０毎に電力を計測する。インテリジェントテーブルタップ１０は，計測された電力情報を，屋内電力ライン３０を介してサーバ２０へ送信する。電力情報を受信したサーバ２０の制御部２１は，受信した電力情報を記憶部２２に記憶する。これにより，電気機器５０毎の消費電力が記憶部２２に記憶される。
【００５７】
また，電気機器５０が配置された各環境センサは，屋内の温度や屋内の照度や屋内での人の移動等を検出する。そして，各環境センサは，取得される各種情報を無線通信によりサーバ２０へ送信する。これらの環境センサで取得される各種情報は，屋内の状態に関する屋内情報として，制御部２１により記憶部２２に記憶される。
【００５８】
ユーザは，サーバ２０やモバイル端末等にて操作することにより，電気機器５０の電力情報や，環境センサにより検出された屋内情報を，出力部２３に出力することができる。このとき，制御部２１は，記憶部２２に記憶されている電力情報や屋内情報に基づいた指令を，例えば表示部等の出力部２３に出力する。これにより，ユーザは，各電気機器５０に関する電力情報や，屋内の状態に関する情報を，リアルタイムに確認することができる。
【００５９】
また，制御部２１は，環境センサにより検出された屋内情報を取得し，屋内情報に基づいた制御信号を新たに生成してもよい。これにより，屋内の状況に応じた制御信号が生成される。そして，この制御信号が制御部２１によってインテリジェントテーブルタップ１０及び電気機器５０に送信されると，屋内の状況に応じた制御がインテリジェントテーブルタップ１０及び電気機器５０に対して行われる。
【００６０】
例えば，部屋の中のテレビに対して，制御を行う場合について説明する。制御部２１は，人感センサや開閉センサによって，部屋に人がいるか否かを検知できる。制御部２１は，これらのセンサで検知された環境情報に基づいた制御信号を生成する。例えば，人が部屋に居ないと認識した場合，制御部２１はテレビの電源をオフにする制御信号を新たに生成する。そして，制御部２１は，この新たな制御信号をインテリジェントテーブルタップ１０及びテレビに送信する。テレビは，制御信号に従って当該テレビの電源をオフにする。また，インテリジェントテーブルタップ１０は，制御信号に従って，テレビへの電力供給を停止する。このように，人の行動等の屋内情報に対応して，電気機器への電力供給を簡単に停止することができる。この結果，人が意識することなく，効果的に待機電力の消費を抑制でき，省エネ活動が有効に促進される。
【００６１】
また，記憶部２２には，制御部２１が送信した制御信号を記憶してもよい。このとき，制御部２１は，記憶部２２に記憶された制御信号を用いて，電気機器５０への電力供給を停止する。すなわち，制御部２１は，電気機器５０に対して既に過去に送信した制御信号を記憶部２２から取得する。そして，制御部２１は，取得した制御信号を用いて，インテリジェントテーブルタップ１０及び電気機器５０に電源をオン又はオフにする信号等を出力する。
【００６２】
例えば，記憶部２２に，ビデオ機器に対する制御信号が記憶されている場合について，説明する。記憶部２２には，例えば毎週月曜の午後９時〜１０時に特定の番組を録画するという録画予約命令が，制御信号として記憶されているとする。そして，ユーザが録画予約した時間以外にビデオ機器５０の電源を入れて，電源を点けっぱなしにしたとする。このとき，制御部２１は，記憶部２２から録画予約命令の制御信号を取得し，これを再度，インテリジェントテーブルタップ１０及びビデオ機器に送信する。インテリジェントテーブルタップ１０は，制御信号を受信すると，この制御信号に基づいて，ビデオ機器への電力供給を停止する。このようにして，制御部２１が，記憶部２２に記憶された録画予約命令の制御信号を用いて，ビデオ機器５０への電力供給を停止することができる。これにより，録画予約時間である月曜の午後９時〜１０時の間のみ通電し，必要最低限の電力使用によって，予約録画を行うことができる。この結果，効果的に待機電力を抑制でき，省エネ活動が有効に促進される。
【００６３】
次に，本発明の電源制御システム１００の使用例として，提示システムとして用いた場合について説明する。
【００６４】
上述の通り，提示システムでは，データベースとしての記憶部２２に記憶された各種情報を用いて，各電気機器５０の消費電力や，行動検出に基づいた省エネアドバイスや，省エネ効果等の情報提示が行われる。
【００６５】
これらの情報提示を行うために，制御部２１は，記憶部２２に記憶されている電気機器５０毎の電力情報や，屋内の温度や屋内の照度や屋内での人の移動等の屋内情報に基づいた指令を，出力部２３に出力する。出力部２３を表示部としたときの各種情報の表示例を以下に説明する。図６〜図１０は，各種情報の表示例を示す図である。
【００６６】
図６は，ブラウザを用いた場合の表示画面の例を示す図である。画面中央には，日毎の総消費電力が示されている。また，画面左には，「機器別消費電力」，「貯金箱」等の複数のメニューが表示される。画面下には，目標設定に関する情報が表示される。
【００６７】
図７（ａ）は，日毎の総消費電力の表示例を示す図である。横軸には日付，縦軸には消費電力が設定されている。図７（ａ）において，総消費電力が棒グラフで示されている。また，目標値（図７（ａ）では４０００以下）の範囲に対して，塗りつぶしが行われている。このような表示が提供されることで，ユーザは，各電気機器５０の日毎の総消費電力を目標値と共に，確認することができる。ここで，総消費電力は，記憶部２２に記憶されている各電気機器５０の日毎の電力を合計して，制御部２１により算出される。目標値は，ユーザによる操作入力によって入力され，予め記憶部２２に記憶されている。
【００６８】
図７（ｂ）は，機器別消費電力の表示例を示す図である。横軸には時間，縦軸には消費電力が設定されている。図７（ｂ）において，電気機器５０毎の消費電力の時間的変化が折れ線グラフで表示されている。このような表示が提供されることで，ユーザは，どの時間にどの電気機器５０でどのくらいの電力を消費したいたかについて，確認することができる。
【００６９】
図８（ａ）は昼光照度の表示例を示す図，図８（ｂ）は照明照度の表示例を示す図である。横軸には時間，縦軸には照度が設定されている。図８（ａ）及び図８（ｂ）において，照度の時間的変化が折れ線グラフで表示されている。図８（ｃ）は温度の表示例を示す図である。横軸には時間，縦軸には温度が設定されている。図８（ｃ）において，屋内の温度の時間的変化が折れ線グラフで表示されている。これらの表示が提供されることで，ユーザがどのような屋内環境下で生活しているのかを確認することができる。例えば，エアコンの消費電力は，温度との相関性が高いことが知られている。従って，エアコンが設置されている環境が実際にどのようになっているのかの知識を得ることで，エアコンの効率的な制御に役立てることができる。
【００７０】
図９は，行動履歴の表示例を示す図である。この表示は，省エネに関して，相応しくない行動をいつしていたかを確認するために提供される。ここで表示される情報は，記憶部２２に記憶される電気機器５０毎の電力情報及び屋内の状態に関する屋内情報や，予めユーザにより記憶部２２に記憶された目標値等の複数の情報を組み合わせることで，生成される。
【００７１】
図９（ａ）において，１番上の表示欄には，省エネアドバイスが表示される。ここでは，省エネのためのアドバイスと，その説明が表示される。すなわち，省エネのためには，どんなときにどんな行動を取ればよいのかを説明している。
【００７２】
２番目の表示欄には，貯金機能の目標設定を行うためのアイコンが示される。ユーザは，これらのアイコンを用いて，目標値を入力する。入力された目標値は，記憶部２２に記憶される。
【００７３】
３番目の表示欄には，月額損失が表示される。ここでは，現在，提示している日の電力消費を１ヶ月続けた場合における月額の損失が表示される。すなわち，省エネによって期待できる節約料金が示される。この節約料金は，記憶部２２に記憶されている各電気機器５０の電力情報や目標値等から制御部２１によって算出される。
【００７４】
４番目の表示欄では，行動履歴ガントチャートが示される。ここでは，例えば，「Loss Time」では，省エネに相応しくない行動を取っていた時間を赤く表示する。また，「aircon」では，電気機器５０（ここではエアコン）の使用時間が表示される。例えば，使用時は黄色，不使用時は斜線で示される。「Place」では，ユーザの所在位置が示される。例えば，外出は緑，研究室がピンク，台所が黄色で示される。これら表示は，人感センサや開閉センサ等の環境センサで検出された情報に基づいて，制御部２１によって生成される。「Sunshine」では，例えば，屋内への昼光入射が過度なときにクリーム色で表示される。「light」では，例えば，照明使用時間がクリーム色で示される。この表示情報は，照度センサで検出された情報に基づいて，制御部２１によって生成される。「Use machine」では，例えば，電気機器５０（ここでは炊飯器）の使用時間がクリーム色で示される。この表示情報は，電気機器５０の消費電力の時間的変化に基づいて，制御部２１によって生成される。
【００７５】
５番目の表示欄では，温度／照度グラフが示される。この表示欄では，このページで示される省エネ方法に関係のある場合のみグラフが示される。例えば，グラフ中で塗りつぶしが施されている領域が省エネの目安となる。この目安以上となったグラフの領域に対応する時間帯について，エネルギーロスを算出する。
【００７６】
図９（ｂ）には，ドア又は窓の開閉時間が表示される。図９（ａ）の４番目の表示欄に示した内容に代えて，図９（ｂ）に示される内容をしてもよい。表示例では，右に目標時間，左に実際の開閉時間が表示されている。この表示情報は，開閉センサで検出された情報に基づいて，制御部２１によって生成される。
【００７７】
図１０は，貯金額確認画面の表示例を示す図である。図１０中のグラフにおいて，横軸には日にち，縦軸には金額が設定されている。この画面表示では，ユーザにより予め設定された消費電力の目標値に対して，削減された消費電力量を金銭に変換し，これを貯金額として表示している。また，その貯金額の累積額を生じしている。この表示情報は，各電気機器５０の電力情報や，記憶部２２に予め設定された電力目標値等の情報に基づいて，制御部２１によって生成される。このような表示を提供することで，ユーザは消費電力の節約実績を視覚的に確認することができる。
【００７８】
図１１は，図１０で示した貯金額確認画面を使用するためのフロー図である。図中のＳは，ステップ（Ｓｔｅｐ）を意味する。図１１に示されるように，ユーザは，各電気機器５０の電力情報や，環境センサで検出された屋内情報等を，モニタリングする（ステップ１１０１）。次に，ユーザは，省エネ度を評価する（ステップ１１０２）。ここでは，損失見積額を算出することで，省エネ度を評価する。ここで，損失見積額とは，エネルギー消費者であるユーザが無駄な電力を浪費した時間と，当該ユーザによる行動の種類によって算出される削減可能な電力量に対応する金額である。次に，ユーザは，省エネ度の評価結果に基づいて，消費電力の目標値を設定して（ステップ１１０３），再度，上述した各種情報をモニタリングする（ステップ１１０４）。再度，ユーザは，省エネ度を評価する（ステップ１１０５）。ここでは，損失見積額又は貯金額を算出する。そして，新たな目標値を設定して，上述した各種情報をモニタリングする（ステップ１１０７）。以下，このステップを繰り返し行うことで，ユーザの省エネ活動が促進される。なお，上記損出見積額，貯金額及び目標設定は，省エネアドバイス毎に算出される。
【００７９】
図１２は，環境センサにより検出された各種情報に基づいて，損失見積額及び貯金額を算出するための処理を示すフロー図である。まず，行動検出を行う（ステップ１２０１）。ここでは，データベースとしての記憶部２２に記憶されている各種屋内情報に基づいて，ユーザの行動パターンを検出する。すなわち，例えば，ユーザがどんな時間にどこに居ることが多いのか等，ユーザの行動に関する情報を取得する。次に，消費電力の目標値が設定されている場合には（ステップ１２０２，Ｙｅｓ），消費電力の節約量を改善率で算出する（ステップ１２０３）。そして，改善率に基づいて，具体的に削減可能な消費電力を算出して（ステップ１２０４），これを貯金額とする（ステップ１２０５）。一方，消費電力の目標値が設定されていない場合には（ステップ１２０２，Ｎｏ），実行時間を算出する（ステップ１２０６）。この実行時間とは，省エネ活動できなかった時間，つまり，エネルギー消費者であるユーザが無駄な電力を浪費した時間である。そして，実行時間に基づいて，具体的に削減可能な消費電力を算出して（ステップ１２０７），これを損失見積金額とする（ステップ１２０８）。
【００８０】
以上のように，本発明における電源制御システム１００では，インテリジェントテーブルタップ１０は，制御部２１からの制御信号に基づいて，電気機器５０Ａ，５０Ｂへの電力供給を停止する。この構成により，インテリジェントテーブルタップ１０が，制御部２１から電気機器５０Ａ，５０Ｂへ送信される制御信号に連動して，電気機器５０Ａ，５０Ｂへの電力供給を停止する。この結果，人の手を煩わすことなく，効率よく待機電力を削減することができる。
【００８１】
本発明における電源制御システム１００において，インテリジェントテーブルタップ１０は，制御信号が電気機器５０Ａ，５０Ｂの電源をオフにする信号である場合に，電気機器５０Ａ，５０Ｂへの電力供給を停止する。この構成により，インテリジェントテーブルタップ１０が，電気機器５０Ａ，５０Ｂの電源をオフする制御信号に連動して，電気機器５０Ａ，５０Ｂへの電力供給を停止する。この結果，人の手を煩わすことなく，電気機器への制御に連動して，効率よく待機電力を削減することができる。
【００８２】
本発明における電源制御システム１００において，インテリジェントテーブルタップ１０は，電気機器５０Ａ，５０Ｂに供給した電力を計測する。これにより，電気機器５０Ａ，５０Ｂの電力使用量を簡単に取得することができる。
【００８３】
本発明における電源制御システム１００において，インテリジェントテーブルタップ１０は，電気機器５０Ａ，５０Ｂ毎に，電器機器５０Ａ，５０Ｂに供給した電力をそれぞれ計測する。これにより，電気機器５０Ａ，５０Ｂ毎に電力使用量を取得することができる。
【００８４】
本発明における電源制御システム１００では，制御部２１は，インテリジェントテーブルタップ１０により計測された電力情報を取得し，取得した電力情報に基づいた指令を出力部２３へ出力する。これにより，電気機器５０Ａ，５０Ｂの電力使用量が出力部２３に出力される。この結果，エネルギー消費者が，出力部２３の出力を確認することで，電気機器５０Ａ，５０Ｂの電力使用量を確認することができる。
【００８５】
本発明における電源制御システム１００では，制御部２１は，環境センサにより検出された屋内情報と，インテリジェントテーブルタップ１０により計測された電力情報とに基づいた指令を出力部２３へ出力する。これにより，電力情報が屋内情報と共に出力部２３に出力される。この結果，エネルギー消費者が，出力部２３の出力を確認することで，電気機器５０Ａ，５０Ｂの電力情報を屋内情報と合わせて得ることができる。
【００８６】
本発明における電源制御システム１００では，記憶部２２には，電力情報と屋内情報とが互いに対応して記憶されている。制御部２１は，記憶部２２に記憶された電力情報及び屋内情報に基づいた指令を出力部２３に出力する。これにより，例えば，数時間前，数日前等，過去の電力情報が屋内情報と共に出力部２３に出力される。この結果，エネルギー消費者が，出力部２３の出力を確認することで，電気機器５０Ａ，５０Ｂの過去の電力情報を屋内情報と合わせて得ることができる。
【００８７】
本発明における電源制御システム１００では，記憶部２２には，制御部２１が送信した制御信号が記憶されており，制御部２１は，記憶部２２に記憶された制御信号を用いて，電気機器５０Ａ，５０Ｂへの電力供給を停止する。このように，制御部２１は，記憶部２２に記憶された制御信号を用いることで，過去に電源機器に対して送信した制御信号を取得し，これに基づいた制御を電源供給機器に対して行うことが行える。
【００８８】
本発明における電源制御システム１００では，制御部２１は，環境センサにより検出された屋内情報を取得し，屋内情報に基づいた制御信号を新たに生成し，屋内情報に基づいた制御信号を電気機器５０Ａ，５０Ｂ及び電源供給器具１０に送信し，電源供給器具１０は，屋内情報に基づいた制御信号を用いて，電気機器５０Ａ，５０Ｂへの電力供給を停止する。これにより，屋内に状態に応じた制御信号が生成され，屋内情報に合わせた制御を電気機器に対して行うことができる。この結果，人の行動等の屋内情報に対応して，電気機器への電力供給を簡単に停止することができる。
【００８９】
本発明における電源制御システム１００において，好ましくは，前記環境センサは，前記屋内の人の移動，前記屋内の温度又は前記屋内の照度のうち，少なくとも１つを検出する。環境センサにより屋内の人の移動を検出し，これを屋内情報とすることで，屋内情報と電力情報とに基づいて，エネルギー消費者の行動に対応した電力情報を出力部２３に出力することができる。また，環境センサにより屋内の温度や照度を検出し，これを屋内情報とすることで，屋内情報と電力情報とに基づいて，電気機器５０Ａ，５０Ｂの設置環境を含めた電力情報を出力部２３に出力することができる。この結果，エネルギー消費者は，出力部２３の出力を確認することで，エネルギー消費者の行動に対応した電力情報や，電気機器の設置環境を含めた電力情報等，省エネのために有益な情報を取得することができる。これらの情報により，エネルギー消費者は，自らの行動を見つめ直す機会が与えられる。そして，エネルギー消費者は，省エネのための目標設定を自己の行動に従って設定することができる。設定された目標に対する省エネ効果の実績を累積して，これを出力部２３に出力することで，エネルギー消費者は省エネ効果を随時確認することができる。このようにして，省エネ行動の楽しみをエネルギー消費者に提供することができる。
【００９０】
本発明における電源制御システム１００において，インテリジェントテーブルタップ１０と制御部２１との間の信号又は情報の送受は，電力線を通信媒体に用いた電力線搬送方式を用いて行われる。このように，既存の電力線を通信媒体に用いているので，新たに信号又は情報の送受信用の器具を設ける必要がなく，コストを低減できる。
【００９１】
本発明における電源制御システム１００において，電気機器５０Ａ，５０Ｂは，二つの電源用の凸型接触端子からなるプラグを先端に設けた電源コードを有している。また，インテリジェントテーブルタップ１０は，二つの電源用の凹型接触端子からなるコンセントを有している。そして，プラグがコンセントに挿入されることにより，インテリジェントテーブルタップ１０が電源コードを介して，電気機器５０Ａ，５０Ｂに電力を供給する。これにより，インテリジェントテーブルタップ１０と電気機器５０Ａ，５０Ｂとを容易に接続することができ，インテリジェントテーブルタップ１０から電気機器５０Ａ，５０Ｂへ容易に電力を供給できる。
【００９２】
本発明における電源制御システム１００では，本発明の電気機器５０にビデオ機器を用い，制御信号には録画予約に関する制御信号を用いた。記憶部２２には，制御部２１が送信した録画予約に関する制御信号が記憶されており，制御部２１は，記憶部２２に記憶された録画予約に関する制御信号を用いて，ビデオ機器５０への電力供給を停止する。これにより，記憶部２２には，ビデオ機器５０の録画予約命令等の制御信号が記憶される。従って，人の操作による制御信号の入力がなくても，記憶部２２に記憶されている制御信号を用いて，ビデオ機器５０の電力供給を制御することができる。例えば，毎週月曜の午後９時〜１０時に特定の番組を録画するという録画予約命令が，制御信号として，記憶部２２に記憶されているとする。そして，ユーザが録画予約した時間以外にビデオ機器５０の電源を入れて，電源を点けっぱなしにしたとする。このような場合においても，制御部２１が，記憶部２２に記憶された録画予約命令の御信号を用いて，前記ビデオ５０への電力供給を停止することができる。この結果，録画予約時間である月曜の午後９時〜１０時の間のみ通電し，必要最低限の電力使用によって，予約録画を行うことができる。
【００９３】
以上、本発明の実施の形態を例示により説明したが、本発明の範囲はこれらに限定されるものではなく、請求項に記載された範囲内において目的に応じて変更又は変形することが可能である。
【００９４】
上記実施の形態の説明では，インテリジェントテーブルタップ１０を本発明の電源供給器具として説明したが，コーナータップやトリプルタップを本発明に用いてもよい。コーナータップやトリプルタップは，テーブルタップのように電源コードがなく，その場でコンセントが複数に分岐する構造となっている。
【００９５】
上記実施の形態の説明では，赤外線学習リモコンを本発明のリモコン部として説明したが，ブルートゥース（Bluetooth）等の無線通信型のリモコンを本発明に用いてもよい。また，サーバ２０及び電気機器５０の間の通信は，ＵＳＢ（Universal Serial Bus）配線による接続等の有線を媒体とした通信によっても実現できる。
【００９６】
なお，本発明の実施の形態に係る電源制御システム１００を，ネットワークに接続してもよい。これにより，各家屋や各建物での消費電力に関する情報等，様々な情報を複数のユーザによって共有することができる。この結果，社会全体の省エネ意識を高めることができる。
【産業上の利用可能性】
【００９７】
本発明は，電気機器に電力を供給するテーブルタップ等の電源供給器具を有する電源制御システムに関する技術分野において利用されうる。例えば，ユビキタスセンサとインテリジェントテーブルタップによる省エネシステムに適用することができる。ユビキタスセンサとは、近年普及しつつあるユビキタス−コンピューティングシステムを利用したセンサであり遍在性を特徴としている。ユビキタスとは人間が介在せずコンピュータ同士が連携して動作する環境をいう。本発明ではインテリジェントテーブルタップを用いて，例えば屋内の状態に関する情報を用いて，電気機器への電力供給を停止することを可能としている。
【符号の説明】
【００９８】
１０  インテリジェントテーブルタップ
１１  電力制御部
１２  電流センサ
１３  スイッチ部
２０  サーバ
２１  制御部
２２  記憶部
２３  出力部
３０  屋内電力ライン
４０  赤外線学習リモコン
５０Ａ，５０Ｂ  電気機器
１００  電源制御システム
【図１】
2010213367.tif 000003
【図２】
2010213367.tif 000004
【図３】
2010213367.tif 000005
【図４】
2010213367.tif 000006
【図５】
2010213367.tif 000007
【図６】
2010213367.tif 000008
【図７】
2010213367.tif 000009
【図８】
2010213367.tif 000010
【図９】
2010213367.tif 000011
【図１０】
2010213367.tif 000012
【図１１】
2010213367.tif 000013
【図１２】
2010213367.tif 000014